(57)【要約】      （修正有）【課題】コンパクトで取り扱いやすく、意匠的にも優れ、さらには、音のハーモニーを味わうことのできる携帯電話用拡音器を提供する。【解決手段】携帯電話１を載置する載置部２と、載置部２から伸びる管部３と、管部３の端に拡管形成された拡音部４と、を有する。載置部２と管部３と拡音部４とでエレメント９が形成されている。エレメント９は、支え部５を有して、支え部５によりエレメント９が上下方向に立設され、立設状態で、載置部２に集音用の開口６が上向きに形成され、開口６に携帯電話１のスピーカー部が対向され、携帯電話１からの音が載置部２、管部３、拡音部４の順に導かれて拡音される。【選択図】図１
2020098240.tif 000002
【特許請求の範囲】
【請求項１】
携帯電話を載置する載置部（２）と、
前記載置部（２）から伸びる管部（３）と、
前記管部（３）の端に拡管形成された拡音部（４）と、
を有し、
載置部（２）と管部（３）と拡音部（４）とでエレメント（９）が形成されており、
前記エレメント（９）に支え部（５）を有して、その支え部（５）によりエレメント（９）が上下方向に立設され、
立設状態で、前記載置部（２）に集音用の開口（６）が上向きに形成され、その開口（６）に携帯電話（１）のスピーカー部が対向され、携帯電話からの音が載置部（２）、管部を（３）、拡音部（４）に順に導かれて拡音される携帯電話用拡音器。
【請求項２】
前記立設状態で、開口（６）を有する前記載置部（２）と管部（３）の下端部とが、下方へＵ字状に曲折する反転部（７）により一体に連通された請求項１に記載の携帯電話用拡音器。
【請求項３】
前記エレメント（９）が一対並列して立設され、それらの下端部に両者の連結部（８）が形成されると共に、その連結部（８）に前記支え部（５）が接続された請求項１または請求項２のいずれかに記載の携帯電話用拡音器。
【請求項４】
管部（３）が蛇行された蛇行部（３ａ）を有する請求項１〜請求項３のいずれかに記載の携帯電話用拡音器。
【発明の詳細な説明】
【技術分野】
【０００１】
本発明は、携帯電話の音、声を大きくする携帯電話用拡音器に関し、電源を不要とするものである。
【背景技術】
【０００２】
下記特許文献１に記載の携帯電話拡声器は、ベースにスリットを設け、そのスリットに通孔を連通させ、その連通孔の両端に拡声スピーカーの端部を連結し、スピーカーをベースの両側に突設したものである。そして、スリットに携帯電話を差し込み、一対の拡声スピーカーから音を放出するものである。
【先行技術文献】
【特許文献】
【０００３】
【特許文献１】実用新案登録第３２０５６６１号公報
【発明の概要】
【発明が解決しようとする課題】
【０００４】
特許文献１の携帯電話拡声器は、ベース及び拡声スピーカーの配置に比較的大きなスペースが必要となると共に、インテリアとして、面白みに欠ける欠点があった。
本発明は、コンパクトで取り扱いやすく、意匠的にも優れた携帯電話用拡音器を提供することを課題とする。さらには、音のハーモニーを味わうことのできるものを提供する。
【課題を解決するための手段】
【０００５】
請求項１に記載の発明は、携帯電話を載置する載置部２と、
前記載置部２から伸びる管部３と、
前記管部３の端に拡管形成された拡音部４と、
を有し、
載置部２と管部３と拡音部４とでエレメント９が形成されており、
前記エレメント９に支え部５を有して、その支え部５によりエレメント９が上下方向に立設され、
立設状態で、前記載置部２に集音用の開口６が上向きに形成され、その開口６に携帯電話１のスピーカー部が対向され、携帯電話からの音が載置部２、管部３、拡音部４の順に導かれて拡音される携帯電話用拡音器である。
【０００６】
請求項２に記載の発明は、前記立設状態で、開口６を有する前記載置部２と管部３の下端部とが、下方へＵ字状に曲折する反転部７により一体に連通された請求項１に記載の携帯電話用拡音器である。
【０００７】
請求項３に記載の発明は、前記エレメント９が一対並列して立設され、それらの下端部に両者の連結部８が形成されると共に、その連結部８に前記支え部５が接続された請求項１または請求項２のいずれかに記載の携帯電話用拡音器である。
【０００８】
請求項４に記載の発明は、管部３が蛇行された蛇行部３ａを有する請求項１〜請求項３のいずれかに記載の携帯電話用拡音器である。
【発明の効果】
【０００９】
請求項１に記載の発明は、支え部５により載置部２、管部３および拡管部４からなるエレメント９が上下方向に立設され、載置部２の上向きの集音用の開口５が、携帯電話１のスピーカー部に対向され、携帯電話からの音が載置部２、管部３、拡音部４に順に導かれて拡音されるものである。
このように構成することにより、幅をとらずコンパクトで使い易い、携帯電話用拡音器となる。さらに、載置部２に開口６が上向きに形成され、その開口６に携帯電話のスピーカー部が対向するため、携帯電話の音を効率よく、拡音部に導くことができる。また、載置部２の開口６から拡音部４までの距離が管部３を介して離間しているため、エレメント９の内部を通る音と、携帯電話から直接生じる音とがミックスされて、音のハーモニーを形成できる。
【００１０】
請求項２に記載の発明は、上記構成に加えて、立設時に載置部２の開口６と管部３とが下方へＵ字状に曲折する反転部７が一体に形成されものである。このような反転部７を設けることにより、上向きの開口６から簡単な構造で拡音部４に音を無駄なく導くことができる。
【００１１】
請求項３に記載の発明は、同一形状の一対のエレメント９が並列して立設され、それらの下端部に両者の連結部８が形成されると共に、その連結部８に前記支え部５が接続されたものである。
このように同一のエレメント９を並列することにより、デザイン的に優れたものとなり、幅をとらずにコンパクトに拡音を効果的に行うことができる。
【００１２】
請求項４に記載の発明は、管部３が蛇行されたものである。このようにすることにより、さらに管部３の長さを長くして、エレメント９の内部を通る音と、携帯電話から直接生じる音とがミックスされて、音のハーモニーを形成できる。さらには、音が長管を蛇行して通るため、音色の響きに丸みが生じ、複雑な音色を楽しむことができる。
【図面の簡単な説明】
【００１３】
【図１】本発明の携帯電話用拡音器の第１実施例を示す斜視図。
【図２】同第１実施例の側面図（Ｂ）及び正面図（Ａ）。
【図３】同実施例の使用状態を示す図１のＩＩＩ−ＩＩＩ矢視断面図。
【図４】本発明の第２実施例の正面図（Ａ）及び側面図（Ｂ）。
【図５】本発明の第３実施例の正面図（Ａ）及び側面図（Ｂ）。
【図６】本発明の第４実施例の正面図（Ａ）及び側面図（Ｂ）。
【図７】本発明の第５実施例の正面図（Ａ）及び側面図（Ｂ）。
【発明を実施するための形態】
【００１４】
次に、図面に基づいて本発明の実施の形態につき、説明する。
図１は本発明の第１実施例の斜視図であり、図２（Ａ）はその正面図、（Ｂ）は側面図、図３は同実施例の使用状態を示す図１のＩＩＩ−ＩＩＩ矢視断面図であり、携帯電話１を一点鎖線で示す。
この実施例の携帯電話用拡音器は、図２（Ａ）、（Ｂ）に示す如く、管部３と載置部２と拡音部４とが一体に形成されてエレメント９を構成している。
エレメント９の載置部２に支え部５の一端が接続され、エレメント９が上下方向に立設された状態で、支持することができる。
【００１５】
その立設状態で、各エレメント９の管部３と、載置部２とが、下方へＵ字状に曲折する反転部７を介して、連通されている。載置部２には、幅方向に拡開する方形の開口６を有する。この開口６は、載置部２に載置される携帯電話のスピーカー部から発せられる音を集音するため、載置される携帯電話１のスピーカー部と対向するように、上向きに形成されており、その開口６の縁は平坦に形成されている。
また、管部３は、図３に記載のように、携帯電話１を載置部２に載置した際、携帯電話１の平面部分が部分的に接触できるように、その平面部分とエレメント９の管部３とが、部分的に平行になるように形成されている。つまり、管部３は、携帯電話１の背もたれの機能も兼ねる。
【００１６】
この例では、エレメント９の管部３は、一対のエレメント９が並列方向に離反する方向に僅かに曲折され、その上端がラッパ状に拡開した拡音部４を形成する。一対のエレメント９どうしは、その下端部で連結部８により連結され、その連結部８に支え部５の一端が接続されている。一対のエレメント９は、図１及び図２（Ａ）に示す如く、一方側と他方側のエレメント９が左右対称に形成されたものとすることができる。そして、同図のように配置することにより、デザイン的にも優れたものになる。
【００１７】
この例では支え部５は、水平方向に伸びる接地部５ａと、接地部５ａからＴ字状に凸設された立上げ部５ｂとからなり、接地部５ａの下端と、反転部７の下端とが机等に載置される。各エレメント９を背面側に僅かに傾斜している。そのため、図１及び図３に示す如く、反転部７の高さより接地部５ａの高さを高い位置にして、全体を後ろに傾斜させることができる。そして、各エレメント９の一対の載置部２の上に携帯電話１のスピーカー部を載置することができる。
【００１８】
携帯電話１のスピーカー部は、通常、その下端に配置されている。そのスピーカー部がエレメント９のうち、一方の載置部２の開口６に対向する。そして、携帯電話１からの音や声が開口６、反転部７、管部３を介し、拡音部４から拡大されて放出される。なお、一対のエレメント９のうち、一方の管部３を通過する音は、並列された他方のエレメント９に連結部８を介して、伝えられる。また、その音は支え部５や設置される机等を介しても、互いに伝達される。
【００１９】
次に、図４は本発明の第２実施例の側面図及び正面図であり、この例では、各エレメント９の管部３が蛇行状に形成された蛇行部３ａを有する。
次に、図５は本発明の第３実施例であり、この例が前記第２実施例と異なる点は、管部３の蛇行部３ａが第２実施例より少ない点である。
次に、図６は本発明の第４実施例であり、この例ではエレメント９の管部３の蛇行部３ａが渦巻き状に形成されている。
次に、図７は本発明の第５実施例であり、この例のエレメント９の管部３の蛇行部３ａは、平面視でベーストラック状に曲折形成されている。
【００２０】
（蛇行部３ａの作用）
このように、管部３の途中に蛇行部３ａが存在すると、管部３の長さが長くなり、管部を通る音と、携帯電話から直接生じる音とが外部でミックスされて、両者の音のハーモニーを形成できる。さらには、管部を進行中の音が振動しつつ蛇行して通るため、音色の響きに丸みが生じ、複雑な音色を楽しむことができる。
一例として、蛇行部３ａを設けた時の管部３の長さは、３４ｃｍ〜５０ｃｍ程とすることができる。３４ｃｍとした時、拡音部４から出てくる音は、携帯電話から直接生じる音に比べて、１／１０００秒遅れる。この差により、拡音部４から出てくる音と、携帯電話から直接生じる音が重なった時に、音の干渉、共振により音に丸みが生じる。
【００２１】
この実施例では、一対のエレメント９と連結部８と支え部５との各部品からなるが、これらを一体に形成することもできる。さらには、部品を部分的に形成し、それらを互いに連結してもよい。また、この例では一対のエレメント９が並列されているが、３つ以上のエレメント９を並列し、それらを互いに連結し、さらにそれらに支え部５を配置してもよい。
なお、本発明は上記実施例に限定されるものではなく、特許請求の範囲の構成において、各種変形が可能である。例えば、支え部５は、管部３と一体に形成できる。
【符号の説明】
【００２２】
１  携帯電話
２  載置部
３  管部
３ａ  蛇行部
４  拡音部
５  支え部
５ａ  接地部
５ｂ  立上げ部
６  開口
７  反転部
８  連結部
９  エレメント
【図１】
2020098240.tif 000003
【図２】
2020098240.tif 000004
【図３】
2020098240.tif 000005
【図４】
2020098240.tif 000006
【図５】
2020098240.tif 000007
【図６】
2020098240.tif 000008
【図７】
2020098240.tif 000009